(57)【要約】      （修正有）【課題】ツールなしで快速に組み立てできる収納キャビネットを提供する。【解決手段】本体ラック１、天板２、横ワイヤおよび引出し４１〜４４を含む。本体ラックは後部フレームと左右フレーム１１、１２とからなり、左右フレームが後部フレームにヒンジ連結されている。本体ラックの頂部は板状金属片であり、底部は支持脚１４１〜１４３である。天板の裏面に後部用嵌合パーツ、左側用嵌合パーツ、および右側用嵌合パーツが設けられている。後部用嵌合パーツおよび左右側用嵌合パーツの位置はそれぞれ後部フレームおよび左右フレームの頂部の板状金属片の位置に対応する。横ワイヤは、左横ワイヤと右横ワイヤとからなり、左横ワイヤの片方が左フレームに着脱可能に固定され、もう片方が後部フレームに着脱可能に固定される。右横ワイヤの片方が右フレームに着脱可能に固定され、もう片方が後部フレームに着脱可能に固定される。左右の横ワイヤは同一平面上で三角形の支え面を形成して、三角形の支え面の上に引出しを載せる。【選択図】図１１
0003204393.tif 000002
【実用新案登録請求の範囲】
【請求項１】
本体ラック、天板、少なくとも２本の横ワイヤおよび少なくとも１個の引出しを含む、ツールなしで快速に組み立てできる収納キャビネットであって、
前記本体ラックが後部フレームと左右フレームとからなり、左右フレームが後部フレームにヒンジ連結されており、前記本体ラックの頂部が板状金属片であり、底部が４つの支持脚であり、
前記天板の裏面に少なくとも１個の後部用嵌合パーツ、少なくとも１個の左側用嵌合パーツ、および少なくとも１個の右側用嵌合パーツが設けられ、後部用嵌合パーツおよび左右側用嵌合パーツの位置がそれぞれ後部フレームおよび左右フレームの頂部の板状金属片の位置に対応し、
前記横ワイヤが左横ワイヤと右横ワイヤとからなり、左横ワイヤの片方が左フレームに着脱可能に固定され、もう片方が後部フレームに着脱可能に固定され；右横ワイヤの片方が右フレームに着脱可能に固定され、もう片方が後部フレームに着脱可能に固定され、左右の横ワイヤが同一平面上で三角形の支え面を形成して、前記三角形の支え面の上に引出しを載せる、
ことを特徴とする、ツールなしで快速に組み立てできる収納キャビネット。
【請求項２】
前記左右横ワイヤの両端が９０度に曲がっており、後部フレームの中央部および左右フレームに同一平面上の差込口がそれぞれ設けられ、左右の横ワイヤの両端の片方が後部フレーム中央部にある左右二箇所の差込口にそれぞれ差込まれ、もう片方が左右フレームにある差込口にそれぞれ差込まれることを特徴とする、請求項１に記載のツールなしで快速に組み立てできる収納キャビネット。
【請求項３】
前記後部フレームに１個またはその以上の横パイプを設けており、横パイプに「П」型のストッパーおよび後部フレームの左右二箇所の差込口を設けており、ストッパーは引出しの背面を受け止め、引出しが後部への動きを止めることを特徴とする請求項１または請求項２に記載のツールなしで快速に組み立てできる収納キャビネット。
【請求項４】
前記引出しが折り畳み式であり、左右の横ワイヤから形成されてなる支え面の上に載せられることを特徴とする請求項１〜３のいずれか１項に記載のツールなしで快速に組み立てできる収納キャビネット。
【請求項５】
前記本体ラックの底部にある４つの支持脚が、アジャスター付支持脚であり、支持脚の高さを調節できることを特徴とする請求項１〜４のいずれか１項に記載のツールなしで快速に組み立てできる収納キャビネット。
【考案の詳細な説明】
【技術分野】
【０００１】
本考案は収納キャビネットに関するものであり、特に、主にインテリアとして使用されるツールなしで快速に組み立てできる収納キャビネットに関するものである。
【背景技術】
【０００２】
中国出願番号ＺＬ２０１１２０５４３９５９．１に収納コンビネーションが開示されている。前記収納コンビネーションは、２つの直立ラック、天板、底板、２つの側面フレーム、背板、折り畳み式固定ラックおよび少なくとも１個の引出しを含む。その中、直立ラックは２つの支柱および支柱に垂直する複数の横パイプを含む。折り畳み式固定ラックはそれぞれ２つの直立ラックに連結される。天板と底板はそれぞれ２つの立ちラックの頂部にある横パイプに固定される。また、２つの側面フレームと背板はそれぞれ天板と底板の間に固定される。引出しはレールによって側面フレームに固定される。先行技術と比べて、該当する収納コンビネーションは本体および引出しを組み立てる際に、ドライバーのみを使用し、ほかのツールを使用せずに、簡単且つ快速に組み立てることができ、手間と労力が省ける。組み立てた後、該当する収納コンビネーションは構造的に安定して変形しにくいと共に、引出しを容易に出し入れすることができる。引出しの中に一つの収納できる空間が形成され、ホコリの進入を防止し収納されるものがより清潔に保てる。
【考案の概要】
【考案が解決しようとする課題】
【０００３】
本実用新案はツールなしで快速に組み立てできる収納キャビネットを提供し、ツールなしで快速に組み立てることを実現できる。
【課題を解決するための手段】
【０００４】
本考案は、ツールなしで快速に組み立てできる収納キャビネットであり、前記収納キャビネットに本体ラック、天板、少なくとも２本の横ワイヤと少なくとも１個の引出しを含み、そのうち：
前記本体ラックは後部フレームと左右フレームとからなり、左右フレームが後部フレームにヒンジ連結されている。前述本体ラックの頂部は板状金属片であり、底部は４つの支持脚である。
【０００５】
前記天板の裏面に少なくとも１個の後部用嵌合パーツ、少なくとも１個の左側用嵌合パーツ、および少なくとも１個の右側用嵌合パーツが設けられている。後部用嵌合パーツおよび左右側用嵌合パーツの位置はそれぞれ後部フレームおよび左右フレームの頂部の板状金属片の位置に対応する。
【０００６】
前記横ワイヤは左横ワイヤと右横ワイヤとからなり、左横ワイヤの片方が左フレームに着脱可能に固定され、もう片方が後部フレームに着脱可能に固定される。右横ワイヤに片方が右フレームに着脱可能に固定され片方が後部フレームに着脱可能に固定される。左右の横ワイヤは同一平面上で三角形の支え面を形成して、前記三角形の支え面に上に引出しを載せる。
【０００７】
上述の考案に基づき、左右横ワイヤの両端が９０度に曲がっており、後部フレームの中央部および左右フレームに同一平面上の差込口がそれぞれ設けられており、左右の横ワイヤの両端の片方がそれぞれ後部フレーム中央部の左右二箇所の差込口に差込まれ、もう片方が左右フレームの差込口にそれぞれ差込まれ、左右の横ワイヤが三角形の支え面を形成する。
【０００８】
上述の考案に基づき、後部フレームに１個またはその以上の横パイプが設けられており、横パイプに「П」型のストッパーおよび後部フレームの左右二箇所の差込口を設ける。ストッパーは引出しの背面を受け止め、引出しが後部への動きを止める。
【０００９】
上述の考案に基づき、引出しが折り畳み式であり、左右の横ワイヤから形成されてなる支え面の上に載せられる。
【００１０】
上述の考案に基づき、本体ラックの底部にある４つの支持脚が、アジャスター付支持脚であり、支持脚の高さを調節できる。
【考案の効果】
【００１１】
本考案の収納キャビネットは、ツールなしで、快速に組み立てできることと、内部にある左右横ワイヤから形成されてなる三角形の支え面が、全体的に構造を安定化させるだけでなく、引出しの支えにもなることと、各パーツを標準化し、低コストかつ丈夫な構造を実現できる。
【図面の簡単な説明】
【００１２】
【図１】図１は本体ラックのイラストである。
【図２】図２は天板のイラストである。
【図３】図３は本考案の組み立てイラスト１である。
【図４】図４は本考案の組み立て部分拡大イラスト１である。
【図５】図５は本考案の組み立てイラスト２である。
【図６】図６は本考案の組み立て部分拡大イラスト２である。
【図７】図７は本考案の組み立て部分拡大イラスト３である。
【図８】図８はアジャスター付支持脚の部分拡大イラストである。
【図９】図９は折り畳み式引出しのイラストである。
【図１０】図１０は折り畳み式引出しの使用状態のイラストである。
【図１１】図１１は本考案の使用状態のイラストである。
【考案を実施するための形態】
【００１３】
以下に本考案を、図１から図１１によって説明する。図１と図１１に示すように、ツールなしで快速に組み立てできる収納キャビネットは、本体ラック１、天板２、第一、第二、第三、第四の左横ワイヤ３１１、３２１、３３１、３４１、第一、第二、第三、第四の右横ワイヤ３１２、３２２、３３２、３４２および第一、第二、第三、第四の引出し４１、４２、４３、４４を含む。そのうち：
前記本体ラック１は後部フレーム１３と左右フレーム１１、１２とからなり、左右フレーム１１、１２が後部フレーム１３にヒンジ連結されている。前記本体ラック１の上部が左フレームの板状金属片１１１、右フレームの板状金属片１２１、後部フレームの板状金属片１３１であり、底部が第一、第二、第三、第四の支持脚１４１、１４２、１４３、１４４である。
【００１４】
図１−５に示すように、前記天板２の裏面に第一、第二の後部用嵌合パーツ２３１、２３２、左側用嵌合パーツ２１、および右側用嵌合パーツ２２が設けられている。第一、第二の後部用嵌合パーツ２３１、２３２と左右側用嵌合パーツ２１、２２の位置がそれぞれ後部フレーム１３および左右フレーム１１、１２の頂部の板状金属片１１１、１２１、１３１の位置に対応し、各嵌合パーツが対応する板状金属片に嵌合される。
【００１５】
図５−７に示すように、第一、第二、第三、第四の左横ワイヤ３１１、３２１、３３１、３４１の片方が左フレーム１１に着脱可能に固定され、もう片方が後部フレーム１３に着脱可能に固定される。第一、第二、第三、第四の右横ワイヤ３１２、３２２、３３２、３４２の片方が右フレーム１２に着脱可能に固定され、もう片方が後部フレーム１３に着脱可能に固定される。そのうち、第一左右横ワイヤ３１１と３１２、第二左右横ワイヤ３２１と３２２、第三左右横ワイヤ３３１と３３２、および第四左右横ワイヤ３４１と３４２がそれぞれ４つの同一平面上の三角形の支え面を形成している。
【００１６】
上述した考案に基づき、第一、第二、第三、第四の左横ワイヤ３１１、３２１、３３１、３４１と第一、第二、第三、第四の右横ワイヤ３１２、３２２、３３２、３４２が同様の構造であり、同じく両端が９０度に曲がっている。後部フレーム１３の中央部にある左右二箇所の差込口１５１１、１５１２と、左右フレーム１１、１２のそれぞれにある差込口と、が同一平面上に設けられている。図７は右ラック１２にある差込口１５２を示す。第一、第二、第三、第四の左横ワイヤ３１１、３２１、３３１、３４１と、第一、第二、第三、第四の右横ワイヤ３１２、３２２、３３２、３４２と、の片方がそれぞれ後部フレーム１３の中央にある左右の差込口１５１１、１５１２に差込まれて、それによって４つの三角形の支え面を形成している。
【００１７】
上述した考案に基づき、左右フレーム１１、１２にそれぞれ４本の左右横パイプが設けられている。後部フレーム１３に第一、第二、第三、第四の横パイプ１３２、１３３、１３４、１３５が設けられている。横パイプに左右の差込口とストッパーが設けられている。第一、第二、第三、第四の横パイプ１３２、１３３、１３４、１３５にあるストッパー１３２１、１３３１、１３４１、１３５１が「П」型であり、第一、第二、第三、第四の引出しの後部を受け止める。
【００１８】
図９−１０に示すように、第一、第二、第三、第四の引出し４１、４２、４３、４４が折り畳み式であり、それぞれ、第一左右横ワイヤ３１１と３１２から、第二左右横ワイヤ３２１と３２２から、第三左右横ワイヤ３３１と３３２から、および第四左右横ワイヤ３４１と３４２から形成されてなる４つの三角形の支え面に載せられている。
【００１９】
図８に示すように、本体ラック１の底部にある４つの支持脚１４１、１４２、１４３、１４４に高さ調節できるアジャスターを備える。
【符号の説明】
【００２０】
１  本体ラック
１１  左フレーム
１１１  左フレーム頂部の板状金属片
１２  右フレーム
１２１  右フレーム頂部の板状金属片
１３  後部フレーム
１３１  後部フレーム頂部の板状金属片
１３２，  １３３，  １３４，  １３５  第一、  第二、第三、第四の横パイプ
１３２１，  １３３１，  １３４１，  １３５１  第一、第二、第三、第四の横パイプに設けるストッパー
１４１，  １４２，  １４３，  １４４  第一、第二、第三、第四の支持脚
１５１１，  １５１２  後部フレームの中央部にある左右の差込口
１５２  左もしくは右フレームにある差込口
２  天板
２１  左側用嵌合パーツ
２２  右側用嵌合パーツ
２３１，  ２３２  第一、第二の後部用嵌合パーツ
３１１，  ３２１，  ３３１，  ３４１  第一、第二、第三、第四の左横ワイヤ
３１２，  ３２２，  ３３２，  ３４２  第一、第二、第三、第四の右横ワイヤ
４１，  ４２，  ４３，  ４４  第一、第二、第三、第四の引出し
【図１】
0003204393.tif 000003
【図２】
0003204393.tif 000004
【図３】
0003204393.tif 000005
【図４】
0003204393.tif 000006
【図５】
0003204393.tif 000007
【図６】
0003204393.tif 000008
【図７】
0003204393.tif 000009
【図８】
0003204393.tif 000010
【図９】
0003204393.tif 000011
【図１０】
0003204393.tif 000012
【図１１】
0003204393.tif 000013